(57)【要約】      （修正有）【課題】空気入りタイヤへのタグの装着方法及び装着位置に関する。【解決手段】タイヤ２０２のサイドウォール２０６にタグ１０４を取り付ける方法において、クラウン部と一対のサイドウォール２０６とを有する加硫された後のタイヤ本体を含むタイヤ２０２であって、該タイヤ２０２はクラウン部及び一対のサイドウォール部２０６を具えるタイヤ本体部を有し、各サイドウォール部２０６が、タイヤ２０２をリム２０８に装着した際にリム２０８に着座するビード部、及び外面を有し、一方のサイドウォール部２０６が、サイドウォール部２０６の外面に開口を有するキャビティを画定してなるタイヤを与えるステップと、前記キャビティにタグ１０４を配置するステップと、タイヤ本体のサイドウォール２０６に前記タグ１０４を接着させる封入材料２１２とともに、該タグ１０４を封入するステップと、を含むことを特徴とする方法。【選択図】図４
2011121587.tif 000002
【特許請求の範囲】
【請求項１】
クラウン部及び一対のサイドウォール部を具えるタイヤ本体と、該タイヤ本体のクラウン部に配設された補強ベルトとを有するタイヤにおいて、
タグが補強ベルトにより保持されていることを特徴とするタイヤ。
【請求項２】
前記補強ベルトは複数本の補強コードを含み、前記タグは補強コードに隣接して配置される、請求項１に記載のタイヤ。
【請求項３】
前記タグは一対の補強コードの間に配置される、請求項２に記載のタイヤ。
【請求項４】
前記補強ベルトは接合部を含み、前記タグは接合部に配置される、請求項１に記載のタイヤ。
【請求項５】
前記接合部は補強コードに平行である、請求項４に記載のタイヤ。
【請求項６】
前記接合部は接着剤の層を含み、前記タグは接着剤に保持される、請求項４に記載のタイヤ。
【請求項７】
前記タイヤ本体は少なくとも２枚の補強ベルトを含み、一方のベルトが他方のベルトの径方向外側に配置され、前記タグが最外ベルトにより保持される、請求項１に記載のタイヤ。
【請求項８】
前記ベルトは複数本の離間したコードを含み、前記タグはコードの１本を置換する、請求項１に記載のタイヤ。
【請求項９】
リムに装着されるよう適合されたタイヤにおいて、
該タイヤはクラウン部及び一対のサイドウォール部を具える本体部を有し、各サイドウォール部が、タイヤをリムに装着した際にリムに着座するビード部、タイヤの加圧チャンバに面するよう適合された内面、及び外面を有し、一方のサイドウォール部が、サイドウォール部の外面に開口を有するキャビティを画定しており、
前記タイヤは該キャビティ内に配設されたタグをさらに有することを特徴とするタイヤ。
【請求項１０】
前記タグは封入材料内に封入されており、該封入材料はキャビティ内に配置される、請求項９に記載のタイヤ。
【請求項１１】
前記封入材料はキャビティ内でタグを完全に包囲する、請求項１０に記載のタイヤ。
【請求項１２】
前記封入材料は硬質である、請求項１１に記載のタイヤ。
【請求項１３】
前記封入材料は硬質エポキシである、請求項１２に記載のタイヤ。
【請求項１４】
前記封入材料は可撓性である、請求項１１に記載のタイヤ。
【請求項１５】
前記キャビティはサイドウォール部のビード部の径方向外側に配置される、請求項９に記載のタイヤ。
【請求項１６】
前記キャビティは、タイヤをリムに装着した際にリムにより塞がれることのないように、ビード部の直上に配置されている、請求項１５に記載のタイヤ。
【請求項１７】
前記タグはキャビティから突出する部分がない、請求項９に記載のタイヤ。
【発明の詳細な説明】
【技術分野】
【０００１】
この発明は、概して空気入りタイヤに関するものであり、特にタグと組み合わせた空気入りタイヤに関する。具体的には、この発明は、空気入りタイヤへのタグの装着方法及び装着位置に関する。
【背景技術】
【０００２】
タイヤ監視装置及びタイヤ識別装置の範疇に入る種々の型式のタグは、当業で公知である。タイヤ監視装置は、温度又は圧力を読み取り、その情報を後の回収に備えて記憶するよう構成することができる。また、これらの装置は、情報をタイヤから外部の読取器に伝送するよう構成することもできる。タイヤの温度又は圧力が極限値に達すると、タイヤ監視装置はこの情報を用いてアラームを発することができる。タイヤ識別装置は、タイヤの製造工程中及びタイヤの取り付け後に、タイヤを識別することを可能とする。タイヤ監視装置及びタイヤ識別装置は、設計及び所望の機能によって、受動的又は能動的とすることができる。
【０００３】
当業で公知のタイヤ識別装置の一例は、タイヤ識別チップ（タイヤＩＤチップ）である。タイヤＩＤチップは固有の識別番号を記憶しており、これは、タイヤＩＤチップからの情報を得る装置から送られた呼出信号により読み出すことができる。タイヤメーカーは、製造した各タイヤに１個のタイヤＩＤチップを装着し、製造工程中及び車両での使用中にタイヤを追跡することができるようにすることを望んでいる。
【０００４】
多様な監視装置及び識別装置があるので、これらの装置に対する多様な装着方法も存在する。公知の装着方法の例は、タイヤのサイドウォール内への監視装置の組込み、ビードフィラー内への監視装置の組込み、タイヤのサイドウォールへの装置のパッチを用いた取付け、インナーライナーへの装置の接着剤を用いた直接取付け、タイヤを支持するリムへの装置の接続、及びホイールのバルブステムへの装置の装着を含む。
【発明の概要】
【０００５】
この発明は、第１の構成において、タイヤのクラウン部に配置された補強コードからなるベルトの１枚に、タイヤ識別装置又はタイヤ監視装置を装着する。この識別又は監視装置は、補強コードの１本と置換することができ、補強コード間に配置することができ、又は補強コードプライから環状体を形成するのに用いられる接合部に配置することができる。
【０００６】
また、この発明は、タイヤ識別装置又はタイヤ監視装置を、サイドウォール部の外面に形成した凹部内に装着する態様も提供する。タイヤ識別装置又はタイヤ監視装置は、凹部内の封入材料で封入することができる。
【図面の簡単な説明】
【０００７】
【図１】空気入りタイヤの断面図であり、タイヤ監視装置又はタイヤ識別装置用の第１の装着構成を示す。
【図２】タイヤのクラウン部の一部断面上面図であり、ベルトの接合部に装着されたタグを示す。
【図３】図２の３−３線に沿って得た断面図である。
【図３Ａ】図３と同様の断面図であり、タグがベルトの補強コードの１本を置換している代替装着構成を示す。
【図３Ｂ】図３と同様の断面図であり、タグがベルト内で隣接する補強コードの間に配置されている代替実施態様を示す。
【図４】タグが第２の構成に装着された空気入りタイヤの断面図である。
【図４Ａ】図４の丸で囲んだ部分の拡大断面図である。
【図５】装着されたタグを示すタイヤの正面図である。
【発明を実施するための形態】
【０００８】
明細書を通じて、類似の符号は類似の部品を示すものとする。
【０００９】
図１〜３において、タイヤとタグとの組合せの第１実施態様を全体として符号１００で示す。組合せ１００は、全体としてタイヤ１０２と、タイヤ１０２に装着されたタグ１０４を含む。タグ１０４は、識別装置又は監視装置とすることができる。図示したタグ１０４の態様において、タグ１０４は、中央本体部１０６と、本体部１０６の対向する両面から延びるワイヤ１０８を有する。本体部１０６は、タイヤ１０２に関する情報を記憶し、この情報を要求する読取器（図示せず）に対して情報を提示するのに用いられる種々の素子を含むことができる。
【００１０】
第１の装着構成において、タグ１０４は、タイヤ１０２のクラウン部に配置された補強ベルト１１０の１枚に組み込まれる。各補強ベルトは、互いに隣接して配置された複数本の補強コード１１２を含む。各補強コード１１２は、ゴム材料１１４又は他の適当な材料で覆われる。各ベルト１１０は、タイヤ１０２の周方向に巻き付けられ、ベルト１１０の端部は接合部１１６で接合される。接合部１１６はワイヤ１１２に対して略平行である。第１の装着構成において、タグ１０４は接合部１１６に配置されており、タグ１０４用の組込み装着位置を与えている。タグ１０４を、接合部１１６の接着剤に埋設してもよい。タグ１０４を最外ベルト１１０内に組み込んで、読み取り性を向上させ、かつベルト１１０をタイヤ１０２の本体部に取り付けるのに用いられる加硫熱へのタグの被爆を低減させる。また、この位置は、タイヤ成型中の曲げ力からタグ１０４を保護する。
【００１１】
接合部１０６が形成される場合には、タグ１０４を接合部１０６に組み込んでもよい。あるいは、タグ１０４を、接合部１０６又は他の適当な位置のプライ１１０内に予め組み込んでもよい。例えば、この発明の他の実施態様において、タグ１０４は、図３Ａに示すように補強コード１１２の１本を置換する。図３Ｂにおいて、タグ１０４は、隣接する補強コード１１２の間に配置される。これらの位置は、加硫熱からタグ１０４を保護し、タイヤ成型中にタグ１０４を保護し、かつ他のタイヤ構造に干渉されることの少ない位置にタグ１０４を配置するという利点を有する。また、この位置は、タイヤ１０２の内面及び外面からタグ１０４が飛び出すことのないような位置にタグ１０４を配置する。また、この位置は、タグ１０４とタイヤ１０２の間の結合耐久性を接着剤に頼ることがない。タイヤユニフォミティのために、隣接するベルトは、タグ１０４と反対の位置に適当な機構を用いてもよい。
【００１２】
図４〜５において、タイヤとタグの組合せの第２の実施態様を、全体として符号２００で示す。組合せ２００は、全体として空気入りタイヤ２０２と、タイヤ２０２のサイドウォール部２０６の一方に装着されたタグ２０４を含む。タグ２０４は、タイヤ２０２をリム２０８に装着した際に、リム２０８の上方となるような位置でサイドウォール部２０６に装着される。一実施態様において、タグ２０４は、サイドウォール部が厚く屈曲の少ない、リム２０８の直上に装着される。この領域は、図４において符号２０９で示される。
【００１３】
タグ２０４は、サイドウォール部２０６により画定されるキャビティ２１０内に配置される。キャビティ２１０は、タグ２０４の本体部全体を収容し、さらに封入材料２１２のための余地を有する十分な大きさである。この明細書において、封入材料２１２は、タイヤ２０２に接着して、タグ２０４の、タイヤのサイドウォール部２０６への固定を補助する多様な材料のいずれかとすることができる。種々の公知の接着剤又は補修化合物／材料を封入材料２１２として用いることができる。封入材料２１２は、硬質材料又は比較的可撓性のある材料とすることができる。硬質封入材料の一例はエポキシであり、これは、タグ２０４の素子がタイヤの使用中に互いに対して屈曲するのを防止する。
【００１４】
この実施態様は、タイヤ２０２が加工され加硫された後に、タグ２０４を導入することを可能とする。また、この実施態様は、タグ２０４をタイヤ２０２に選択的に配置することを可能とする。この装着位置は、タグ２０４を加硫熱に被爆することがなく、タグ２０４がサイドウォール部２０６の輪郭から突出するのを防ぐ。また、この実施態様は、使用する封入材料２１２の種類により、タグ２０４の除去及び交換を可能とする。
【００１５】
上記の説明において、簡潔、明瞭及び理解のために特定の用語を用いた。かかる用語は記述的目的のために使用されたのであり、かつ広く解釈されることを意図するものであるので、従来技術の必要性を超えた不必要な限定をこれら用語に含めるべきではない。
【００１６】
さらに、この発明に関する説明及び図は例であって、この発明は図示した又は説明した通りの内容に限定されない。
【図１】
2011121587.tif 000003
【図２】
2011121587.tif 000004
【図３】
2011121587.tif 000005
【図３Ａ】
2011121587.tif 000006
【図３Ｂ】
2011121587.tif 000007
【図４】
2011121587.tif 000008
【図４Ａ】
2011121587.tif 000009
【図５】
2011121587.tif 000010
【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
タイヤのサイドウォールにタグを取り付ける方法において、
クラウン部と一対のサイドウォールとを有する加硫された後のタイヤ本体を含むタイヤであって、該タイヤはクラウン部及び一対のサイドウォール部を具えるタイヤ本体部を有し、各サイドウォール部が、タイヤをリムに装着した際にリムに着座するビード部、及び外面を有し、一方のサイドウォール部が、サイドウォール部の外面に開口を有するキャビティを画定してなるタイヤを与えるステップと、
前記キャビティにタグを配置するステップと、
タイヤ本体のサイドウォールに前記タグを接着させる封入材料とともに、該タグを封入するステップと、を含むことを特徴とする方法。
【請求項２】
前記封入材料で、タグを完全に包囲するステップを含む、請求項１に記載の方法。
【請求項３】
前記封入材料として硬質の封入材料を用いるステップをさらに含む、請求項２に記載の方法。
【請求項４】
前記封入材料として硬質エポキシを用いるステップをさらに含む、請求項３に記載の方法。
【請求項５】
前記封入材料として可撓性の封入材料を用いるステップをさらに含む、請求項１に記載の方法。
【手続補正２】
【補正対象書類名】明細書
【補正対象項目名】全文
【補正方法】変更
【補正の内容】
【発明の詳細な説明】
【技術分野】
【０００１】
この発明は、概して空気入りタイヤに関するものであり、特に、空気入りタイヤへのタグの装着方法及び装着位置に関する。
【背景技術】
【０００２】
タイヤ監視装置及びタイヤ識別装置の範疇に入る種々の型式のタグは、当業で公知である。タイヤ監視装置は、温度又は圧力を読み取り、その情報を後の回収に備えて記憶するよう構成することができる。また、これらの装置は、情報をタイヤから外部の読取器に伝送するよう構成することもできる。タイヤの温度又は圧力が極限値に達すると、タイヤ監視装置はこの情報を用いてアラームを発することができる。タイヤ識別装置は、タイヤの製造工程中及びタイヤの取り付け後に、タイヤを識別することを可能とする。タイヤ監視装置及びタイヤ識別装置は、設計及び所望の機能によって、受動的又は能動的とすることができる。
【０００３】
当業で公知のタイヤ識別装置の一例は、タイヤ識別チップ（タイヤＩＤチップ）である。タイヤＩＤチップは固有の識別番号を記憶しており、これは、タイヤＩＤチップからの情報を得る装置から送られた呼出信号により読み出すことができる。タイヤメーカーは、製造した各タイヤに１個のタイヤＩＤチップを装着し、製造工程中及び車両での使用中にタイヤを追跡することができるようにすることを望んでいる。
【０００４】
多様な監視装置及び識別装置があるので、これらの装置に対する多様な装着方法も存在する。公知の装着方法の例は、タイヤのサイドウォール内への監視装置の組込み、ビードフィラー内への監視装置の組込み、タイヤのサイドウォールへの装置のパッチを用いた取付け、インナーライナーへの装置の接着剤を用いた直接取付け、タイヤを支持するリムへの装置の接続、及びホイールのバルブステムへの装置の装着を含む。
【発明の概要】
【０００５】
ちなみに、タイヤのクラウン部に配置された補強コードからなるベルトの１枚に、タイヤ識別装置又はタイヤ監視装置を装着することも可能であるが、この発明では、後述するように、タイヤ識別装置又はタイヤ監視装置を、タイヤのサイドウォール部に取り付けるものとする。識別又は監視装置をベルトに装着する場合は、補強コードの１本と置換することができ、補強コード間に配置することができ、又は補強コードプライから環状体を形成するのに用いられる接合部に配置することができる。
【０００６】
そして、この発明は、タイヤ識別装置又はタイヤ監視装置を、サイドウォール部の外面に形成した凹部内に装着する態様を提供する。タイヤ識別装置又はタイヤ監視装置は、凹部内の封入材料で封入することができる。
【図面の簡単な説明】
【０００７】
【図１】空気入りタイヤの断面図であり、タイヤ監視装置又はタイヤ識別装置用の装着位置の参考例を示す。
【図２】タイヤのクラウン部の一部断面上面図であり、ベルトの接合部に装着されたタグを示す。
【図３】図２の３−３線に沿って得た断面図である。
【図３Ａ】図３と同様の断面図であり、タグがベルトの補強コードの１本を置換している装着位置の他の参考例を示す。
【図３Ｂ】図３と同様の断面図であり、タグがベルト内で隣接する補強コードの間に配置されている装着位置の他の参考例を示す。
【図４】タグが装着された空気入りタイヤの一の実施態様を示す断面図である。
【図４Ａ】図４の丸で囲んだ部分の拡大断面図である。
【図５】装着されたタグを示すタイヤの正面図である。
【発明を実施するための形態】
【０００８】
明細書を通じて、類似の符号は類似の部品を示すものとする。
【０００９】
図１〜３において、タイヤとタグとの組合せの参考例を全体として符号１００で示す。組合せ１００は、全体としてタイヤ１０２と、タイヤ１０２に装着されたタグ１０４を含む。タグ１０４は、識別装置又は監視装置とすることができる。図示したタグ１０４の態様において、タグ１０４は、中央本体部１０６と、本体部１０６の対向する両面から延びるワイヤ１０８を有する。本体部１０６は、タイヤ１０２に関する情報を記憶し、この情報を要求する読取器（図示せず）に対して情報を提示するのに用いられる種々の素子を含むことができる。
【００１０】
図示の参考例において、タグ１０４は、タイヤ１０２のクラウン部に配置された補強ベルト１１０の１枚に組み込まれる。各補強ベルトは、互いに隣接して配置された複数本の補強コード１１２を含む。各補強コード１１２は、ゴム材料１１４又は他の適当な材料で覆われる。各ベルト１１０は、タイヤ１０２の周方向に巻き付けられ、ベルト１１０の端部は接合部１１６で接合される。接合部１１６はワイヤ１１２に対して略平行である。この参考例において、タグ１０４は接合部１１６に配置されており、タグ１０４用の組込み装着位置を与えている。タグ１０４を、接合部１１６の接着剤に埋設してもよい。タグ１０４を最外ベルト１１０内に組み込んで、読み取り性を向上させ、かつベルト１１０をタイヤ１０２の本体部に取り付けるのに用いられる加硫熱へのタグの被爆を低減させる。また、この位置は、タイヤ成型中の曲げ力からタグ１０４を保護する。
【００１１】
接合部１１６が形成される場合には、タグ１０４を接合部１１６に組み込んでもよい。あるいは、タグ１０４を、接合部１１６又は他の適当な位置のプライ１１０内に予め組み込んでもよい。例えば、他の参考例において、タグ１０４は、図３Ａに示すように補強コード１１２の１本を置換する。図３Ｂにおいて、タグ１０４は、隣接する補強コード１１２の間に配置される。これらの位置は、加硫熱からタグ１０４を保護し、タイヤ成型中にタグ１０４を保護し、かつ他のタイヤ構造に干渉されることの少ない位置にタグ１０４を配置するという利点を有する。また、この位置は、タイヤ１０２の内面及び外面からタグ１０４が飛び出すことのないような位置にタグ１０４を配置する。また、この位置は、タグ１０４とタイヤ１０２の間の結合耐久性を接着剤に頼ることがない。タイヤユニフォミティのために、隣接するベルトは、タグ１０４と反対の位置に適当な機構を用いてもよい。
【００１２】
図４〜５において、この発明に係る、タイヤとタグの組合せの実施態様を、全体として符号２００で示す。組合せ２００は、全体として空気入りタイヤ２０２と、タイヤ２０２のサイドウォール部２０６の一方に装着されたタグ１０４を含む。タグ１０４は、タイヤ２０２をリム２０８に装着した際に、リム２０８の上方となるような位置でサイドウォール部２０６に装着される。一実施態様において、タグ１０４は、サイドウォール部が厚く屈曲の少ない、リム２０８の直上に装着される。この領域は、図４において符号２０９で示される。
【００１３】
タグ１０４は、サイドウォール部２０６により画定されるキャビティ２１０内に配置される。キャビティ２１０は、タグ１０４の本体部全体を収容し、さらに封入材料２１２のための余地を有する十分な大きさである。この明細書において、封入材料２１２は、タイヤ２０２に接着して、タグ１０４の、タイヤのサイドウォール部２０６への固定を補助する多様な材料のいずれかとすることができる。種々の公知の接着剤又は補修化合物／材料を封入材料２１２として用いることができる。封入材料２１２は、硬質材料又は比較的可撓性のある材料とすることができる。硬質封入材料の一例はエポキシであり、これは、タグ１０４の素子がタイヤの使用中に互いに対して屈曲するのを防止する。
【００１４】
この実施態様は、タイヤ２０２が加工され加硫された後に、タグ１０４を導入することを可能とする。また、この実施態様は、タグ１０４をタイヤ２０２に選択的に配置することを可能とする。この装着位置は、タグ１０４を加硫熱に被爆することがなく、タグ１０４がサイドウォール部２０６の輪郭から突出するのを防ぐ。また、この実施態様は、使用する封入材料２１２の種類により、タグ１０４の除去及び交換を可能とする。
【００１５】
上記の説明において、簡潔、明瞭及び理解のために特定の用語を用いた。かかる用語は記述的目的のために使用されたのであり、かつ広く解釈されることを意図するものであるので、従来技術の必要性を超えた不必要な限定をこれら用語に含めるべきではない。
【００１６】
さらに、この発明に関する説明及び図は例であって、この発明は図示した又は説明した通りの内容に限定されない。
【外国語明細書】
2011121587000001.pdf